(57)【要約】【課題】テンプルを閉じた状態に保持する機能を付加することにより、メガネフレームのケースへの収納、ケース内からの取り出しを容易にする。【解決手段】レンズを保持する枠又はレンズに開閉自在に取り付けられるメガネフレームのテンプルの構造であって、テンプル１の一部にマグネット４を設ける。メガネフレームの両テンプル１、１を閉じたときに、両テンプル１、１のマグネット４、４を互いに吸着させることにより、両テンプル１、１を閉じた状態に保持する。メガネフレームをケース内に収納したり、ケース内から取り出す場合に、両テンプル１、１が動かないように手で押える必要がないので、メガネフレームのケース内への収納、ケース内からの取り出しを容易にすることができる。【選択図】        図１
2004279675.tif 000002
【特許請求の範囲】
【請求項１】
レンズを保持する枠又はレンズに開閉自在に取り付けられるメガネフレームのテンプルの構造であって、各テンプルの一部にマグネットを設け、両テンプルを閉じたときに、両テンプルのマグネット同士を互いに吸着させることにより、両テンプルを閉じた状態に保持することを特徴とするメガネフレームのテンプルの構造。
【請求項２】
前記両テンプルを閉じたときに、両テンプルが交差する部分に対応する各テンプルの部分に前記マグネットを設けたことを特徴とする請求項１に記載のメガネフレームのテンプルの構造。
【請求項３】
前記マグネットを前記各テンプルに一体に設けたことを特徴とする請求項１又は２に記載のメガネフレームのテンプルの構造。
【請求項４】
前記マグネットを前記各テンプルに回動自在に設けたことを特徴とする請求項１又は２に記載のメガネフレームのテンプルの構造。
【請求項５】
前記両テンプルに設けられるマグネットの着磁方向は、前記両テンプルを閉じる方向に押し付ける方向のものであることを特徴とする請求項１から４の何れかに記載のメガネフレームのテンプルの構造。
【発明の詳細な説明】
【０００１】
【発明の属する技術分野】
本発明は、メガネフレームのテンプルの構造に関し、特に、テンプルを閉じた状態に保持する機能を備えたメガネフレームのテンプルの構造に関するものである。
【０００２】
【従来の技術】
メガネフレームの一例として、一対の環状の枠と、両枠の内側間を一体に連結するブリッジと、各枠の外側に連結されるヨロイと、各ヨロイに蝶番を介して回動自在に連結されるテンプルと、テンプルの先端部に装着されるモダンとを備えたものが知られている。また、メガネフレームの他の例として、一対のレンズの内側間を連結するブリッジと、各レンズの外側に連結されるヨロイと、各ヨロイに蝶番を介して回動自在に連結されるテンプルと、テンプルの先端部に装着されるモダンとを備えたものが知られている（例えば、非特許文献１参照。）。
【０００３】
【非特許文献１】
（株）ビジョンメガネ、ホームページ、インターネット＜ＵＲＬ：ｈｔｔｐ：／／ｗｗｗ．ｖｉｓｉｏｎ−ｍｅｇａｎｅ．ｃｏ．ｊｐ／＞
【０００４】
【発明が解決しようとする課題】
ところで、上記のような構成のメガネフレームにあっては、レンズの裏面側で両テンプルを開いたり閉じたりすることにより、顔に装着したり、ケース内に収納したりすることができるが、両テンプルを閉じた状態に保持する機能は備えていないため、ケース内へ収納したり、ケース内から取り出す場合に、両テンプルを動かないように手で押えなければならないため、ケース内への収納、ケース内からの取り出しに手間がかかってしまう。また、店頭の陳列棚等に陳列する場合に、両テンプルを閉じた状態に保持することができないために、両テンプルを閉じた状態で陳列する場合の座りが悪く、一定の姿勢を保つことができない。
【０００５】
本発明は、上記のような従来の問題を解決したものであって、メガネフレームのケース内への収納、ケース内からの取り出しを容易にすることができるとともに、メガネフレームを店頭の陳列棚等に陳列する場合に、両テンプルを閉じた状態であっても座りを良くすることができて、一定の姿勢を保つことができるメガネフレームのテンプルの構造を提供することを目的とするものである。
【０００６】
【課題を解決するための手段】
上記のような課題を解決するために、本発明の請求項１に係るメガネフレームのテンプルの構造は、レンズを保持する枠又はレンズに開閉自在に取り付けられるメガネフレームのテンプルの構造であって、各テンプルの一部にマグネットを設け、両テンプルを閉じたときに、両テンプルのマグネット同士を互いに吸着させることにより、両テンプルを閉じた状態に保持する手段を採用している。
また、本発明の請求項２に係るメガネフレームのテンプルの構造は、請求項１に記載のメガネフレームのテンプルの構造において、前記両テンプルを閉じたときに、両テンプルが交差する部分に対応する各テンプルの部分に前記マグネットを設けた手段を採用している。
さらに、本発明の請求項３に係るメガネフレームのテンプルの構造は、請求項１又は２に記載のメガネフレームのテンプルの構造において、前記マグネットを前記各テンプルに一体に設けた手段を採用している。
さらに、本発明の請求項４に係るメガネフレームのテンプルの構造は、請求項１又は２に記載のメガネフレームのテンプルの構造において、前記マグネットを前記各テンプルに回動自在に設けた手段を採用している。
さらに、本発明の請求項５に係るメガネフレームのテンプルの構造は、請求項１から４の何れかに記載のメガネフレームのテンプルの構造において、前記両テンプルに設けられるマグネットの着磁方向は、前記両テンプルを閉じる方向に押し付ける方向のものである手段を採用している。
【０００７】
【作用】
本発明は、上記のような手段を採用したことにより、両テンプルを閉じると、両テンプルのマグネット同士が互いに吸着し合い、両テンプルが閉じた状態に保持されることになる。この場合、テンプルの材質、形状等に応じて、マグネットをテンプルに一体に設けたり、回動自在に設けたりすることにより、種々の材質、形状等のテンプルを閉じた状態に保持することができる。さらに、両テンプルを閉じる方向にマグネットの着磁方向を調整しておくことにより、両テンプルを閉じた状態に確実に保持することができることになる。
【０００８】
【発明の実施の形態】
以下、図面に示す本発明の実施の形態について説明する。
図１には、本発明によるメガネフレームのテンプルの構造の第１の実施の形態が示されていて、このメガネフレームのテンプルの構造１０は、フルリムタイプ、ハーフリムタイプ、ツーポイントタイプ等の各種のメガネフレームに適用することができるものであって、レンズを保持する枠又はレンズに開閉自在に取り付けられるテンプル１の一部にマグネット４を設けたものである。
【０００９】
すなわち、枠又はレンズに開閉自在に取り付けられる金属製のテンプル１を、レンズ側に位置する大径部２と、大径部２に連続する大径部よりも小径の小径部３の２段に形成し、この小径部３の大径部側の部分に環状に形成したマグネット４を装着し、マグネット４の外側の小径部３の部分に樹脂製のモダン５を装着し、モダン５の端面と大径部２の端面との間にマグネット４を回動自在に位置させたものである。
【００１０】
この場合、各テンプル１の大径部２及び小径部３の長さ、モダン５の端面と大径部２の端面との間の距離等を、両テンプル１、１をレンズの裏面側で閉じた場合に、両テンプル１、１が交差する部分に対応する各テンプル部分にマグネット４、４が位置するように、調整している。
【００１１】
そして、上記のように構成したテンプル１をレンズ（図示せず）の裏面側で閉じると、両テンプル１、１のマグネット４、４が互いに吸着し合って両テンプル１、１が閉じた状態に保持されることになる。この場合、各マグネット４、４の着磁方向を両テンプルが閉じる方向に設定しておくことにより、両テンプル１、１を閉じた状態に確実に保持することができるものである。
【００１２】
従って、メガネフレームをケース内に収納したり、ケース内から取り出したりする場合に、両テンプル１、１が動かないように手で押える必要がないので、メガネフレームのケース内への収納、ケース内からの取り出しを容易にすることができる。また、メガネフレームを店頭の陳列台等に陳列する場合に、両テンプルを閉じた状態であっても座りを良くすることができるので、一定の姿勢を保つことができることになる。
【００１３】
図２には、本発明によるメガネフレームのテンプルの構造の第２の実施の形態が示されていて、このメガネフレームのテンプルの構造１０は、樹脂製のテンプル１１の一部にマグネット１３を一体に設けたものであって、その他の構成は前記第１の実施の形態に示すものと同様である。
【００１４】
すなわち、両テンプル１１、１１を閉じたときに、両テンプル１１、１１が交差する部分に対応する部分の各テンプル１１の部分に孔１２を設け、その孔１２内に嵌合、接着剤による接着、ねじ止め等の固着手段によってマグネット１３を取り付けたものである。
【００１５】
そして、この実施の形態に示すメガネフレームのテンプルの構造１０にあっても、前記第１の実施の形態に示すものと同様に、両テンプル１１、１１をレンズの裏面側で閉じると、両テンプル１１、１１のマグネット１３、１３が互いに吸着し合って両テンプル１１、１１が閉じた状態に保持されることになる。この場合、各マグネット１３、１３の着磁方向を両テンプル１１、１１が閉じる方向に設定しておくことにより、両テンプル１１、１１を閉じた状態に確実に保持することができるものである。
【００１６】
従って、メガネフレームをケース内に収納したり、ケース内から取り出したりする場合に、両テンプル１１、１１を動かないように手で押える必要がないので、メガネフレームのケース内への収納、ケース内からの取り出しを容易にすることができる。また、メガネフレームを店頭の陳列台等に陳列する場合に、両テンプルを閉じた状態であっても座りを良くすることができるので、一定の姿勢を保つことができることになる。
【００１７】
【発明の効果】
本発明は、前記のように構成したことにより、両テンプルを閉じたときに、両テンプルのマグネット同士を互いに吸着させることにより、両テンプルを閉じた状態に保持することができるので、メガネフレームをケース内に収納したり、ケース内から取り出したりする場合に、両テンプルを動かないように手で押える必要がないので、メガネフレームのケース内への収納、ケース内からの取り出しを容易にすることができる。また、メガネフレームを店頭の陳列棚等に陳列する場合に、両テンプルを閉じた状態に保持することができるので、両テンプルを閉じた状態であっても座りを良くすることができ、一定の姿勢を保つことができることになる。
さらに、マグネットは、両テンプルを閉じたときに、両テンプルが交差する部分に対応する各テンプルの部分に設けられているので、確実に両テンプルを閉じた状態に保持することができることになる。
さらに、マグネットをテンプルに回動自在に設けたり、一体に設けたりすることができるので、形状、材質等の異なる種々のテンプルに適用することができ、汎用性を高めることができる。
さらに、マグネットの着磁方向をテンプルを閉じる方向に押し付ける方向のものとすることにより、両テンプルを閉じた状態に確実に保持することができるので、メガネフレームのケース内の収納、ケース内からの取り出しを更に容易にすることができるとともに、メガネフレームを店頭の陳列棚等へ陳列したときに、両テンプルを閉じた状態であっても更に座りを良くすることができ、一定の姿勢を保つことができることになる。
【図面の簡単な説明】
【図１】本発明によるメガネフレームのテンプルの構造の第１の実施の形態を示した概略図である。
【図２】本発明によるメガネフレームのテンプルの構造の第２の実施の形態を示した概略図である。
【符号の説明】
１、１１……テンプル
２……大径部
３……小径部
４、１３……マグネット
５……モダン
１０……テンプルの構造
１２……孔
【図１】
2004279675.tif 000003
【図２】
2004279675.tif 000004